(57)【要約】      （修正有） 【課題】健保及び脱臭作用を具えた新規の中敷及び履物用内底の提供。【解決手段】履物の中敷または内底を形成する底板部材１の爪先寄り部分に、銀とゲルマニウムの合金であるシルマエックス薄板（シルマエックス：有限会社日伸貴金属所有の商標）２を、外部から見えないように埋設したことを特徴とする中敷及び履物用内底。【選択図】図１
0003117536.tif 000002
【実用新案登録請求の範囲】
【請求項１】
履物の中敷または内底を形成する底板部材（１）の爪先寄り部分に、銀とゲルマニウムの合金であるシルマエックス薄板（シルマエックス：有限会社日伸貴金属所有の商標）（２）を、外部から見えないように埋設したことを特徴とする中敷及び履物用内底。
【請求項２】
履物の中敷または内底を形成する底板部材（１）の爪先寄り部分に、夫々足指と対応させるように小片状に分割形成してなる銀とゲルマニウムの合金であるシルマエックス薄板（２）を、外部から見えないように埋設したことを特徴とする中敷及び履物用内底。
【請求項３】
履物の中敷または内底を形成する底板部材（１）の爪先寄り部分にシルマエックス薄板（２）を埋設すると共に、これと併設するように、踵部分及び土踏まず部分の両方若しくは何れか一方にシルマエックス薄板を埋設したことを特徴とする中敷及び履物用内底。
【請求項４】
底板部材（１）は、靴の中敷、革性靴、運動用靴、草履、スリッパ、サンダル、その他全ての履物を対象とする底板部材１である請求項１乃至請求項３の何れかに記載の中敷及び履物用内底。
【考案の詳細な説明】
【技術分野】
【０００１】
本考案は健保及び脱臭作用を具えた中敷及び履物用内底に関する。
【背景技術】
【０００２】
従来の中敷及履物としては、中敷のシート本体内に木炭を含有させることによって、脱臭作用を奏させるように構成したもの（例えば、特許文献１参照。）、底部分に永久磁石を取付けて健保作用を奏させるように構成した履物（例えば、特許文献２参照。）、靴の中敷にトルマリン液の含水乾燥処理を施すことにより健康維持作用を奏させるようにした靴及び靴の中敷（例えば、特許文献３参照。）などがある。
【０００３】
【特許文献１】特許公開２００３−３３４１０４号公報
【特許文献２】特許公開２００５−２４６０１８号公報
【特許文献３】特許公開２００４−２０８９０７号公報
【考案の開示】
【考案が解決しようとする課題】
【０００４】
上述したような既存の中敷及び履物は、健保作用又は脱臭作用の何れかの問題を解決するように構成したものである。  然し乍、その効果は充分とは称し得ないものである。  更に、従来のものは健保或いは脱臭の何れかの目的を達成するものであり、例えば、健保と脱臭の両方の作用を奏させるためには、磁石と炭素を夫々個別的に併設するように構成するものである。
本考案は、一つの金属性材料を埋め込むことにより、健保作用と殺菌脱臭作用が奏されるようにした新規の中敷及び履物用内底の提供を図ったものである。
【課題を解決するための手段】
【０００５】
本考案は、履物の中敷または内底を形成する底板部材１の爪先寄り部分に、銀とゲルマニウムの合金であるシルマエックス薄板２を、外部から見えないように埋設したことを特徴とする中敷及び履物用内底に係るものである。
【０００６】
そして、履物の中敷または内底を形成する底板部材１の爪先寄り部分に、夫々足指と対応させるように小片状に分割形成してなる銀とゲルマニウムの合金であるシルマエックス薄板２を、外部から見えないように埋設することを第２の実施例とするものである。
【０００７】
更に、履物の中敷または内底を形成する底板部材１の爪先寄り部分にシルマエックス薄板２を埋設すると共に、これと併設するように、踵部分及び土踏まず部分の両方若しくは何れか一方にシルマエックス薄板を埋設することを第３の実施例とするものである。
【０００８】
また、本考案はおける底板部材１は、靴の中敷、革性靴、運動用靴、草履、スリッパ、サンダル、その他全ての履物を対象とする底板部材１である。  換言すると、本考案における実施の対象としては、所謂通常足に履く全ての履物を対象とするものである。
【考案の効果】
【０００９】
本考案は請求項1に記載のような構成、すなわち、履物の中敷または内底を形成する底板部材１の爪先寄り部分に、銀とゲルマニウムの合金であるシルマエックス薄板２を、外部から見えないように埋設したから、当該シルマエックス薄板２の「銀」成分が奏する殺菌作用に基づき、大腸菌、ブドウ球菌等に対する良好なる抗菌作用を奏し、従って、履物内の雑菌繁殖に基づく悪臭発生と言うような事柄を未然に防止することとなる。
更に、シルマエックス薄板２の「ゲルマニウム」成分が奏する体内の生体電流の活性化、並びに血行の良好化による自然治癒力の向上、代謝作用のスムーズ化というような健保作用が、足先から作用され、本考案に係る履物の履着者に対する健保作用が奏されることとなる。
そして、本考案は上記のような悪臭発生阻止作用と健保作用とが、シルマエックス薄板２と言う一つの部材の埋設で達成されるものであるから、例えば悪臭発生阻止用の素材と健保用の素材と言うように二種類の素材を別個に埋設するように構成した場合に比して、製造作業の簡便化と製造コストの廉価化が図られる。
【００１０】
本考案は請求項２に記載のように、履物の中敷または内底を形成する底板部材１の爪先寄り部分に、夫々足指と対応させるように小片状に分割形成してなる銀とゲルマニウムの合金であるシルマエックス薄板２を、外部から見えないように埋設することにより、シルマエックス薄板２の使用量が最小限化され、材料費の節減が図られる。
【００１１】
本考案は請求項３に記載のように、履物の中敷または内底を形成する底板部材１の爪先寄り部分にシルマエックス薄板２を埋設すると共に、これと併設するように、踵部分及び土踏まず部分の両方若しくは何れか一方にシルマエックス薄板を埋設することにより、シルマエックス薄板による殺菌及び健保範囲が広がるため、その効果が一層高められることと成る。
【００１２】
本考案は請求項４に記載のように、底板部材１は、靴の中敷、革性靴、運動用靴、草履、スリッパ、サンダル、その他全ての履物を対象とすることにより、本考案の利用価値及び実施対象範囲が著しく高められることとなる。
【考案を実施するための最良の形態】
【００１３】
図１は本考案の一実施例をあらわしたものである。  なお、同図に於いては下記するシルマエックス薄板２は内部に隠れているため想像線で示すべきところ、分かり易くするために便宜的に実線で表してある。  図４及び図５においても同様である。
同図において１は履物の中敷または内底を形成する底板部材である。  ２は銀とゲルマニウムの合金であるシルマエックス薄板（シルマエックス：有限会社日伸貴金属所有の商標）であって、シルマエックスなる合金を薄板状に成形したものである。  そして、当該シルマエックス２は上記した底板部材１の爪先寄り部分に、外部から見えないように埋め込まれている。
【００１４】
図２及び図３は当該シルマエックス２の埋め込み形態を表したものであり、図２に示すように２枚の板材で構成される底板部材１内に挟み込むように構成するか、或いは、図３に示すように底板部材１の必要箇所に形成した凹窪部1ａ内にシルマエックス２を埋め込むと共に、その表面を覆い部材1bで被覆するように構成してある。  なお、図２及び図３は底板部材１に対するシルマエックス２の取付け形態の単なる例示であって、このような手段に限定されるものではない。  すなわち、当該シルマエックス２が底板部材１内に埋め込まれるような形態であれば、如何なる構成であっても可とする。
【００１５】
ところで、上述したシルマエックスであるが、これは有限会社日伸貴金属が開発した新素材である。  具体的には、銀（シルバー）とゲルマニウムとの合金であり、銀に対して所要量のゲルマニウム、下記の試験においては３重量％程度を加えて形成したものである。
当該シルマエックスが奏する特性は、ゲルマニウムが奏する体内の生体電流を活性化させ、血行をよくすると共に、自然治癒力を高め、代謝をスムーズにすると言う特性と、銀が奏する抗菌性に優れ、大腸菌、黄色ブドウ球菌に対する抗菌活性値は、高い数値を示し、これにより抗菌作用を奏するという特性の両方を具えたものである。
【００１６】
シルマエックス（３％ゲルマニウム入り銀）の抗菌試験に関し、社団法人日本食品センターにおいて下記のような試験報告書（第105074729−001号）を得た。
試験概要  JIS Z 2801：2000「抗菌加工製品―抗菌性試験方法・抗菌効果」5.2
プラスチック製品などの試験方法により、検体の抗菌力試験を行った。
試験結果
(要約)  試験片に接種した大腸菌及び黄色ブドウ球菌が３５℃２４時間後の生菌数を測定したところ、殆ど検出しなかった。（これにより殺菌作用を奏することが確認される。）
【００１７】
図４及び図５は履物の中敷または内底を形成する底板部材１に対するシルマエックス薄板２の収装形態の他の実施例を表したものである。  すなわち、図４はシルマエックス薄板２を５つの小片に形成し、これを底板部材１における足指の位置する部分の内部に収装するように構成した場合の実施例を示す。  そして、図５は当該シルマエックス薄板２を、底板部材１の爪先寄り部分以外に、踵部分に設けるシルマエックス薄板３、または、土踏まず部分に設けるシルマエックス薄板４を夫々埋め込むような形態で実施することもある。
【００１８】
換言すると、本考案は、履物の中敷または内底を形成する底板部材１の爪先寄り部分にシルマエックス薄板２を設けることを必須要件とするが、これ以外に、踵部分及び土踏まず部分の両方若しくは一方を併設するようにして実施することも好ましい。
【００１９】
更に、図面に於いては底板部材１として中敷状のものを表してあるが、これはあくまでも一つ実施例として図示したのに過ぎない。  すなわち、本考案は、靴の中敷、革性靴、運動用靴、草履、スリッパ、サンダル等全ての履物を対象とするものであり、この場合、夫々の底板部材の爪先部及び必要に応じて踵部分、土踏まず部分等任意の場所にシルマエックス薄板を収装させるようにして実施するものである。
【００２０】
本考案が実施された履物を履いた場合、シルマエックス薄板が保有する固有の殺菌作用と健保作用が、利用者の足先から及ぶことなる。  特に、殺菌作用に関しては靴を履いていない時にも継続して作用するものである。
【図面の簡単な説明】
【００２１】
【図１】本考案の一実施例を表した平面図である。
【図２】本考案におけるシルマエックス薄板の収装形態を表した断面図である。
【図３】上記収装形態の他の実施例を表した断面図である。
【図４】本考案の第２の実施例を表した平面図である。
【図５】本考案の第３の実施例を表した平面図である。
【符号の説明】
【００２２】
１  底板部材
1a  凹窪部
1b  覆い部材
２  シルマエックス薄板
３  シルマエックス薄板
４  シルマエックス薄板
【図１】
0003117536.tif 000003
【図２】
0003117536.tif 000004
【図３】
0003117536.tif 000005
【図４】
0003117536.tif 000006
【図５】
0003117536.tif 000007